【手続補正書】
【提出日】平成18年9月14日(2006.9.14)
【手続補正１】
【補正対象書類名】特許請求の範囲
【補正対象項目名】全文
【補正方法】変更
【補正の内容】
【特許請求の範囲】
【請求項１】
第一通常走行モード、及び前記第一モードと比較して増加したレベルの一酸化炭素（ＣＯ）を含んでなる排気ガスを発生する第二モードにより作動しうる圧縮着火機関と、
使用時に前記２つのモード間で機関作動を切り換える手段と、及び
排気機構とを備えてなり、
前記排気機構中における唯一の触媒作用を有した成分が、
（i）酸化触媒と、
（ii）触媒作用を有した煤フィルターと、
(iii）ＮＯｘトラップと、
(iV）四元触媒と、
（V）下流部に配置された触媒作用を有しないフィルターとの組み合わせにおけるＮＯ酸化触媒とからなる群から選択されたものであり、
前記触媒作用を有した成分が、少なくとも一種の卑金属助触媒と関連する第１の担体材料に担持されたパラジウム（Ｐｄ）触媒、及び担持されたＰｄ触媒と関連する白金（Ｐｔ）触媒とを含んでなるモノリス基材を備えてなる、装置。
【請求項２】
前記Ｐｔ触媒が、第２の担体材料に担持されてなる、請求項１に記載の装置。
【請求項３】
前記機関が、前記第二モードで走行する時、＞２０００ｐｐｍのＣＯを含んでなる排気ガスを発生するように設定されてなる、請求項１又は２に記載の装置。
【請求項４】
請求項１に従属する場合において、
前記モノリス基材が、
（ａ）前記Ｐｔ触媒を含んでなる第一層、及び前記第一層の上にある第二層と、
前記第二層が、前記担持されたＰｄ触媒と、前記関連する少なくとも一種の卑金属助触媒とを含んでなるものであり、
（ｂ）前記担持されたＰｄ触媒の下流部分に配置されたＰｔ触媒、及び前記関連する少なくとも一種の卑金属助触媒とからなる群から選択されてなる、前記Ｐｄ触媒成分と前記Ｐｔ触媒成分との配置物を備えてなるものである、請求項１〜３のいずれか一項に記載の装置。
【請求項５】
請求項２に従属する場合において、
前記モノリス基材が、
（ａ）前記担持されたＰｔ触媒を含んでなる第一層、及び前記第一層の上にある第二層と、
前記第二層が、前記担持されたＰｄ触媒、及び前記関連する少なくとも一種の卑金属助触媒とを含んでなるものであり、
（ｂ）単一ウォッシュコート層と、及び
前記単一ウォッシュコート層が、前記担持されたＰｄ触媒と、前記関連する少なくとも一種の卑金属助触媒と、及び前記担持されたＰｔ触媒を含んでなるものであり、
前記Ｐｄ触媒及び前記Ｐｔ触媒が、それぞれ分離かつ個別の粒子状担体材料上に担持されてなるものであり、  
（ｃ）前記担持されたＰｄ触媒の下流部分に配置された、担持されたＰｔ触媒、及び前記関連する少なくとも一種の卑金属助触媒とからなる群から選択されてなる、担持された触媒の配置物を含んでなるものである、請求項２又は３に記載の装置。
【請求項６】
前記２つのモード間で切り換える手段が、前記Ｐｔ触媒が＜２５０℃である時に、前記第一モードと前記第二モードの間で切り換えるものである、請求項１〜５のいずれか一項に記載の装置。
【請求項７】
前記Ｐｄ触媒及び前記Ｐｔ触媒が両方とも同一の担体材料に配置されてなる、請求項２に記載の装置。
【請求項８】
前記少なくとも一種の卑金属助触媒が、還元可能な酸化物、塩基性金属及びそれらの二種類以上の混合物からなる群から選択されてなる、請求項１〜７のいずれか一項に記載の装置。
【請求項９】
前記少なくとも一種の還元可能な酸化物が、マンガン、鉄、銅、スズ、コバルト、及び
セリウムからなる群から選択されてなる金属酸化物、必要に応じてＭｎＯ２、Ｍｎ２Ｏ３、Ｆｅ２Ｏ３、ＳｎＯ２、ＣｕＯ、ＣｏＯおよびＣｅＯ２からなる群から選択されてなる金属酸化物である、請求項８に記載の装置。
【請求項１０】
前記少なくとも一種の還元可能な酸化物が、前記Ｐｄ触媒担体材料の上に分散されてなる、請求項８に記載の装置。
【請求項１１】
前記Ｐｄ触媒担体材料自体が粒子状の還元可能な酸化物を含んでなる、請求項８に記載の装置。
【請求項１２】
前記少なくとも一種の塩基性金属が、アルカリ金属、必要に応じてナトリウム、カリウム及びセシウムからなる群から選択されるものであり；アルカリ土類金属、必要に応じてバリウム、マグネシウム、カルシウム及びストロンチウムからなる群から選択されるものであり；ランタニド金属、必要に応じてセリウム、プラセオジム及びランタンからなる群から選択されるものであり；並びにこれらの二種類以上の、混合物、複合酸化物又は混合酸化物である、請求項８に記載の装置。
【請求項１３】
前記または各担体材料が、アルミナ、シリカ−アルミナ、セリア、マグネシア、チタニア、ジルコニア、ゼオライト、及びそれらの二種類以上の混合物、複合酸化物または混合酸化物からなる群から選択されてなるものである、請求項１〜１２のいずれか一項に記載の装置。
【請求項１４】
請求項２に従属する場合において、
前記触媒作用を有した成分の一部の担持された触媒が、担持されたパラジウム（Ｐｄ）触媒と担持された白金（Ｐｔ）触媒の全重量に対して、０．１〜３０重量％、所望により０．５〜１５重量％、好ましくは１．０〜５．０重量％のＰｔ及びＰｄを含んでなる、請求項２、及び請求項３〜１３のいずれか一項に記載の装置。
【請求項１５】
請求項２に従属する場合において、
前記触媒作用を有した成分の一部の担持された触媒が、Ｐｄ：Ｐｔ、９５：５〜１０：９０の重量比で含んでなる、請求項２、及び請求項３〜１４のいずれか一項に記載の装置。
【請求項１６】
前記触媒作用を有した成分が、３０〜３００ｇ／ｆｔ３Ｐｄおよび３０〜３００ｇ／ｆｔ３Ｐｔを含んでなる、請求項１〜１５のいずれか一項に記載の装置。
【請求項１７】
請求項２に従属する場合において、
前記担持された触媒が、前記担持された触媒の全重量に対して、０．１〜１０．０重量％のＰｔと、及び０．１〜２０．０重量％のＰｄを含む、請求項２、及び請求項３〜１６のいずれか一項に記載の装置。
【請求項１８】
前記機関が、ディーゼル機関である、請求項１〜１７のいずれか一項に記載の装置。
【請求項１９】
装置を操作する方法であって、
第一通常走行モードと、及び前記第一モードと比較して増加したレベルの一酸化炭素（ＣＯ）を含んでなる排気ガスを発生する第二モードとにより作動しうる圧縮着火機関と、
使用時に前記２つのモード間で機関作動を切り換える手段と、及び
排気機構とを備えてなり、
前記排気機構中における唯一の触媒作用を有した成分が、
（ｉ）酸化触媒と、
（ii）触媒作用を有した煤フィルターと、
(iii）ＮＯｘトラップと、
(iV）四元触媒と、
（V）下流部に配置された触媒作用を有しないフィルターとの組み合わせにおけるＮＯ酸化触媒とからなる群から選択されたものであり、
前記触媒作用を有した成分が、少なくとも一種の卑金属助触媒と関連する第１の担体材料に担持されたパラジウム（Ｐｄ）触媒、及び前記担持されたＰｄ触媒と関連する白金（Ｐｔ）触媒とを含んでなるモノリス基材を備えてなり、
前記機関を第一通常走行モードで走行させ、および
前記機関の状態を示唆する測定可能なパラメータの少なくとも一つの値が予め決められた範囲の外側にある時に、前記機関が第二モードに切り換えられることを含んでなる、方法。
【請求項２０】
前記測定可能なパラメータの少なくとも一つが、排気ガス温度、触媒床温度、機構中の排気ガス流量、マニホルド真空、点火タイミング、機関速度、スロットル位置（アクセル位置）、排気ガスのラムダ値、機関中への燃料注入量、排気ガス再循環（ＥＧＲ）バルブの位置及びそれによるＥＧＲの量、給気圧、並びに機関冷却剤温度からなる群から選択されてなる、請求項１９に記載の方法。